【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
イメージングゾーン内でメイン磁場を発生するメイン磁石と、
磁気共鳴データを前記イメージングゾーンから取得するＲＦコイルであって、複数のＲＦポートを備え、前記複数のＲＦポートの少なくとも１つと前記ＲＦコイルを個別に結合又は分離する、前記複数のＲＦポートの前記少なくとも１つに対するスイッチユニットを具備する、ＲＦコイルと、
無線周波数電力を前記複数のＲＦポートそれぞれに供給する無線周波数システムと、
前記無線周波数システムと前記ＲＦコイルとの間のインピーダンス整合データを測定するＲＦ整合検出システムと、
マシン実行可能命令を格納するメモリと、
磁気共鳴イメージングシステムを制御するプロセッサとを備える、当該磁気共鳴イメージングシステムであって、
前記マシン実行可能命令の実行によって、前記プロセッサが、
前記ＲＦ整合検出システムを使用して前記インピーダンス整合データを測定し、
前記インピーダンス整合データを使用して、ＲＦ電力が供給される前記複数のＲＦポートのＲＦポート数を制御して、前記ＲＦコイルに対する前記無線周波数システムのインピーダンス整合を結合又は分離するコマンドを含む、スイッチユニット制御命令を決定し、
前記スイッチユニット制御命令を用いて前記複数のＲＦポートの前記少なくとも１つの前記スイッチユニットを制御する、磁気共鳴イメージングシステム。
【請求項２】
前記インピーダンス整合データの前記測定が、前記複数のＲＦポートの前記少なくとも１つに対して前記スイッチユニットの状態を並べ替えている間、前記インピーダンス整合データを繰り返し取得することを含む、請求項１に記載の磁気共鳴イメージングシステム。
【請求項３】
前記ＲＦ整合検出システムが反射電力センサーを備え、前記インピーダンス整合データが、前記複数のＲＦポートの前記少なくとも１つに対する反射電力データを含む、請求項２に記載の磁気共鳴イメージングシステム。
【請求項４】
前記ＲＦ整合検出システムが、前記ＲＦコイルによって発生するＢ１磁場を記述するＢ１磁場データを測定するＢ１磁場測定システムを備え、前記インピーダンス整合データがＢ１磁場測定データを含む、請求項２又は３に記載の磁気共鳴イメージングシステム。
【請求項５】
前記Ｂ１磁場測定システムが少なくとも１つの磁場センサーを備える、請求項４に記載の磁気共鳴イメージングシステム。
【請求項６】
前記Ｂ１磁場測定システムが前記ＲＦコイル及び前記無線周波数システムを備え、前記マシン実行可能命令によって、前記プロセッサが少なくとも部分的に、
Ｂ１マッピング磁気共鳴イメージングプロトコルに従って前記磁気共鳴イメージングシステムにＢ１マッピング磁気共鳴データを取得させる、Ｂ１マッピングパルスシーケンスコマンドを用いて、前記磁気共鳴イメージングシステムを制御して当該Ｂ１マッピング磁気共鳴データを取得し、
前記Ｂ１マッピング磁気共鳴イメージングプロトコルに従って前記Ｂ１マッピング磁気共鳴データから、前記インピーダンス整合データに含まれるＢ１磁場マップを再構成することによって、前記Ｂ１磁場データを取得する、請求項４又は５に記載の磁気共鳴イメージングシステム。
【請求項７】
前記複数のＲＦポートの少なくとも１つが誘導性供給ループを含み、前記複数の誘導性供給ループそれぞれがバードケージコイルを誘導結合するように構成される、請求項１から６のいずれか一項に記載の磁気共鳴イメージングシステム。
【請求項８】
前記複数の誘導性供給ループそれぞれの前記スイッチユニットが、前記複数の誘導性供給ループそれぞれに開回路を作成すること、又は前記複数の誘導性供給ループそれぞれを非アクティブ化することのいずれか１つのために構成される、請求項７に記載の磁気共鳴イメージングシステム。
【請求項９】
前記ＲＦ整合検出システムが、前記無線周波数システムと前記複数の誘導性供給ループの少なくとも２つとを備え、前記インピーダンス整合データが負荷率データを含み、前記負荷率データが前記ＲＦコイルの負荷率又はＱ値を記述し、前記ＲＦ整合検出システムを使用する前記インピーダンス整合データの測定が、
前記無線周波数システムを使用して、前記複数の誘導性供給ループの前記少なくとも２つのうち少なくとも１つに、分かっているＲＦ信号を供給することと、
前記無線周波数システムを使用して、前記複数の誘導性供給ループの前記少なくとも２つのうち少なくとも別の１つから、測定されたＲＦ信号を測定することと、
前記測定されたＲＦ信号を使用して、前記負荷率又は前記Ｑ値を計算することとを含む、請求項７又は８に記載の磁気共鳴イメージングシステム。
【請求項１０】
前記ＲＦコイルが、バードケージコイル、ＴＥＭコイル、及び単一のダイポールアンテナのいずれか１つである、請求項１から９のいずれか一項に記載の磁気共鳴イメージングシステム。
【請求項１１】
前記ＲＦコイルがバードケージコイルであり、前記ＲＦコイルが２つのエンドリングを備え、前記バードケージコイルが、前記２つのエンドリングを接続する複数のラングを備え、
前記２つのエンドリングがそれぞれリングセグメントを備え、少なくとも前記複数のＲＦポートの選択されたものが前記リングセグメントの２つの間で接続されること、
前記複数のラングがそれぞれラングセグメントを備え、少なくとも前記複数のＲＦポートの選択されたものが前記ラングセグメントの２つの間で接続されること、
前記バードケージコイルがＲＦシールドを備え、前記複数のＲＦポートの少なくとも１つが前記ＲＦシールドと前記２つのエンドリングのうち１つとの間で接続されること、及び、
それらの組み合わせのいずれか１つである、請求項１から９のいずれか一項に記載の磁気共鳴イメージングシステム。
【請求項１２】
前記ＲＦコイルが複数のストリップ要素を備えるＴＥＭコイルであり、前記ストリップ要素がストリップセグメントを備え、少なくとも前記複数のＲＦポートの選択されたものが前記ストリップセグメントの２つの間で接続される、請求項１から９のいずれか一項に記載の磁気共鳴イメージングシステム。
【請求項１３】
前記マシン実行可能命令の実行によって更に、前記プロセッサが、
磁気共鳴イメージングプロトコルに従って前記磁気共鳴イメージングシステムを制御してイメージング磁気共鳴データを取得するように構成された、イメージングパルスシーケンスコマンドを使用して、前記磁気共鳴イメージングシステムを制御して前記イメージング磁気共鳴データを取得し、
前記イメージング磁気共鳴データを使用して磁気共鳴画像を再構成する、請求項１から１２のいずれか一項に記載の磁気共鳴イメージングシステム。
【請求項１４】
磁気共鳴イメージングシステムを動作させる方法であって、前記磁気共鳴イメージングシステムが、
イメージングゾーン内でメイン磁場を発生するメイン磁石と、
磁気共鳴データを前記イメージングゾーンから取得するＲＦコイルであって、複数のＲＦポートを備え、前記複数のＲＦポートの少なくとも１つと前記ＲＦコイルを個別に結合又は分離する、前記複数のＲＦポートの前記少なくとも１つに対するスイッチユニットを具備する、ＲＦコイルと、
無線周波数電力を前記複数のＲＦポートそれぞれに供給する無線周波数システムと、
前記無線周波数システムと前記ＲＦコイルとの間のインピーダンス整合データを測定するＲＦ整合検出システムとを備え、
前記方法が、
前記ＲＦ整合検出システムを使用して前記インピーダンス整合データを測定するステップと、
前記インピーダンス整合データを使用して、ＲＦ電力が供給される前記複数のＲＦポートのＲＦポート数を制御して、前記ＲＦコイルに対する前記無線周波数システムのインピーダンス整合を結合又は分離するコマンドを含む、スイッチユニット制御命令を決定するステップと、
前記スイッチユニット制御命令を用いて前記複数のＲＦポートの前記少なくとも１つの前記スイッチユニットを制御するステップとを含む、方法。
【請求項１５】
プロセッサによって実行される、磁気共鳴イメージングシステムを制御するマシン実行可能命令を含む、コンピュータプログラムであって、前記磁気共鳴イメージングシステムが、
イメージングゾーン内でメイン磁場を発生するメイン磁石と、
磁気共鳴データを前記イメージングゾーンから取得するＲＦコイルであって、複数のＲＦポートを備え、前記複数のＲＦポートの少なくとも１つとＲＦコイルを個別に結合又は分離する、前記複数のＲＦポートの前記少なくとも１つに対するスイッチユニットを具備する、ＲＦコイルと、
無線周波数電力を前記複数のＲＦポートそれぞれに供給する無線周波数システムと、
前記無線周波数システムと前記ＲＦコイルとの間のインピーダンス整合データを測定するＲＦ整合検出システムとを備え、
前記マシン実行可能命令の実行によって、前記プロセッサが、
前記ＲＦ整合検出システムを使用して前記インピーダンス整合データを測定し、
前記インピーダンス整合データを使用して、ＲＦ電力が供給される前記複数のＲＦポートのＲＦポート数を制御して、前記ＲＦコイルに対する前記無線周波数システムのインピーダンス整合を結合又は分離するコマンドを含む、スイッチユニット制御命令を決定し、
前記スイッチユニット制御命令を用いて前記複数のＲＦポートの前記少なくとも１つの前記スイッチユニットを制御する、コンピュータプログラム。
【手続補正２】
【補正対象書類名】明細書
【補正対象項目名】００４８
【補正方法】変更
【補正の内容】
【００４８】
コンピュータ実行可能コードは、本発明の態様をプロセッサに行わせるマシン実行可能命令又はプログラムを含んでもよい。本発明の態様に関する動作を実施するためのコンピュータ実行可能コードは、Ｊａｖａ（登録商標）、Ｓｍａｌｌｔａｌｋ（登録商標）、又はＣ＋＋等のオブジェクト指向プログラミング言語及びＣプログラミング言語又は類似のプログラミング言語等の従来の手続きプログラミング言語を含む１つ又は複数のプログラミング言語の任意の組み合わせで書かれてもよい及びマシン実行可能命令にコンパイルされてもよい。場合によっては、コンピュータ実行可能コードは、高水準言語の形態又は事前コンパイル形態でもよい及び臨機応変にマシン実行可能命令を生成するインタプリタと共に使用されてもよい。